(57)【要約】  冷蔵庫１は、冷蔵室２ａと、冷蔵室２ａの開口部を開閉する扉５ａと、扉５ａの開閉状態を検知する扉スイッチ６ａと、扉５ａに設けられた超音波センサ８と、冷蔵室２ａよりも下に配置された野菜室２ｅと、野菜室２ｅの開口部を開閉する扉５ｅと、扉５ｅの開閉状態を検知する扉スイッチ６ｅと、扉５ｅに設けられた超音波センサ９と、扉５ａ，５ｅの閉め忘れを判定可能なマイクロコンピュータ２６とを備える。マイクロコンピュータ２６は、扉５ａの開状態が一定時間以上継続した場合には、超音波センサ８を用いて冷蔵庫１前の人の有無を判定し、冷蔵庫１前に人がいないときにのみアラーム１０を鳴らし、扉５ｅの開状態が一定時間以上継続した場合には、超音波センサ９を用いて冷蔵庫１前の人の有無を判定し、冷蔵庫１前に人がいないときにのみアラーム１０を鳴らす。
2017145387.tif 000002
【特許請求の範囲】
【請求項１】
アラーム音を発生するアラームを備えた冷蔵庫であって、
第１の収納室と、
前記第１の収納室の開口部を開閉する第１の扉と、
前記第１の扉の開閉状態を検知する第１の扉開閉検知手段と、
前記第１の扉に設けられた第１の人感センサと、
前記第１の収納室よりも下に配置された第２の収納室と、
前記第２の収納室の開口部を開閉する第２の扉と、
前記第２の扉の開閉状態を検知する第２の扉開閉検知手段と、
前記第２の扉に設けられた第２の人感センサと、
前記第１の扉の開状態が一定時間以上継続した場合には、前記第２の人感センサを用いて前記冷蔵庫前の人の有無を判定し、前記冷蔵庫前に人がいないときにのみ前記アラームを鳴らし、前記第２の扉の開状態が前記一定時間以上継続した場合には、前記第１の人感センサを用いて前記冷蔵庫前の人の有無を判定し、前記冷蔵庫前に人がいないときにのみ前記アラームを鳴らす制御部と
を備えることを特徴とする冷蔵庫。
【請求項２】
前記第１の収納室よりも下でかつ前記第２の収納室よりも上に配置された第３の収納室と、
前記第３の収納室の開口部を開閉する第３の扉と、
前記第３の扉の開閉状態を検知する第３の扉開閉検知手段と、
を備え、
前記制御部は、前記第３の扉の開状態が前記一定時間以上継続した場合には、前記第１の人感センサを用いて前記冷蔵庫前の人の有無を判定し、前記冷蔵庫前に人がいないときにのみ前記アラームを鳴らすことを特徴とする請求項１に記載の冷蔵庫。
【請求項３】
前記第１および第２の人感センサは、それぞれ超音波センサであることを特徴とする請求項１または２に記載の冷蔵庫。
【請求項４】
アラーム音を発生するアラームを備えた冷蔵庫であって、
収納室と、
前記収納室の開口部を開閉する扉と、
前記扉の開閉状態を検知する扉開閉検知手段と、
前記収納室内に設けられ、前記収納室内での収納品の移動を検知する移動検知センサと、
前記扉開閉検知手段により前記扉が開状態であることが検知された場合には、前記移動検知センサを用いて前記収納室内での前記収納品の移動の有無を判定し、前記収納室内での前記収納品の移動がなくかつ前記扉の開状態が一定時間以上継続したときにのみ前記アラームを鳴らす制御部と
を備えることを特徴とする冷蔵庫。
【請求項５】
前記移動検知センサは、超音波センサであることを特徴とする請求項４に記載の冷蔵庫。
【発明の詳細な説明】
【技術分野】
【０００１】
本発明は、収納室の扉の閉め忘れを報知可能な冷蔵庫に関する。
【背景技術】
【０００２】
従来、収納室の扉の閉め忘れをアラーム音によって報知する冷蔵庫が知られている。このような冷蔵庫によれば、収納室への収納品の収納中又は収納室からの収納品の取り出し中にアラームが鳴ってしまうことがあり、使用者に煩わしさを感じさせてしまうことがある。【０００３】
特許文献１では、アラームをオフ設定に変更可能な手段を備えた冷蔵庫が記載されている。
【先行技術文献】
【特許文献】
【０００４】
【特許文献１】特開２０１１−１５８２３４号公報
【発明の概要】
【発明が解決しようとする課題】
【０００５】
しかしながら、特許文献１に記載の冷蔵庫によれば、アラームがオフ設定に変更された場合は、実際に扉が閉め忘れられた状態にあるときにアラームが鳴らず、扉の閉め忘れの抑制が困難となる。【０００６】
本発明は、上記に鑑みてなされたものであって、収納室への収納品の収納中又は収納室からの収納品の取り出し中にはアラームが鳴らず、扉が閉め忘れられた状態にあるときにアラームが鳴る冷蔵庫を提供することを目的とする。
【課題を解決するための手段】
【０００７】
上述した課題を解決し、目的を達成するために、本発明に係る冷蔵庫は、アラーム音を発生するアラームを備えた冷蔵庫であって、第１の収納室と、前記第１の収納室の開口部を開閉する第１の扉と、前記第１の扉の開閉状態を検知する第１の扉開閉検知手段と、前記第１の扉に設けられた第１の人感センサと、前記第１の収納室よりも下に配置された第２の収納室と、前記第２の収納室の開口部を開閉する第２の扉と、前記第２の扉の開閉状態を検知する第２の扉開閉検知手段と、前記第２の扉に設けられた第２の人感センサと、前記第１の扉の開状態が一定時間以上継続した場合には、前記第２の人感センサを用いて前記冷蔵庫前の人の有無を判定し、前記冷蔵庫前に人がいないときにのみ前記アラームを鳴らし、前記第２の扉の開状態が前記一定時間以上継続した場合には、前記第１の人感センサを用いて前記冷蔵庫前の人の有無を判定し、前記冷蔵庫前に人がいないときにのみ前記アラームを鳴らす制御部と、を備えることを特徴とする。
【発明の効果】
【０００８】
本発明によれば、収納室への収納品の収納中又は収納室からの収納品の取り出し中にはアラームが鳴らず、扉が閉め忘れられた状態にあるときにアラームが鳴る冷蔵庫を提供することができる、という効果を奏する。
【図面の簡単な説明】
【０００９】
【図１】実施の形態１に係る冷蔵庫の正面図
【図２】図１におけるＡ−Ａ断面図
【図３】実施の形態１における制御ブロック図
【図４】実施の形態１におけるマイクロコンピュータのハードウェア構成の一例を示す図
【図５】実施の形態１における制御フローチャート
【図６】実施の形態２に係る冷蔵庫の正面図
【図７】図６におけるＢ−Ｂ断面図
【図８】実施の形態２における制御ブロック図
【図９】実施の形態２における制御フローチャート
【発明を実施するための形態】
【００１０】
以下に、本発明の実施の形態に係る冷蔵庫を図面に基づいて詳細に説明する。なお、この実施の形態によりこの発明が限定されるものではない。
【００１１】
実施の形態１．
図１は、本実施の形態に係る冷蔵庫の正面図、図２は、図１におけるＡ−Ａ断面図である。
【００１２】
冷蔵庫１は、互いに仕切られた複数の収納室２が設けられた箱体３を備える。ここで、複数の収納室２は、収納品を保存可能な冷蔵室２ａ、氷を製造して保存可能な製氷室２ｂ、温度切替が可能な切替室２ｃ、収納品を冷凍保存可能な冷凍室２ｄおよび野菜を保存可能な野菜室２ｅである。収納品は通常食品である。冷蔵庫１は、冷凍冷蔵庫である。
【００１３】
冷蔵室２ａは、他の収納室２よりも上に設けられている。冷蔵室２ａの前面には開口部４ａが設けられている。冷蔵庫１は、開口部４ａを開閉可能な観音開き式の１対の扉５ａを備える。冷蔵庫１は、１対の扉５ａの開閉状態を検知可能な扉スイッチ６ａを備える。扉スイッチ６ａは、１対の扉５ａの開閉状態に応じてオンまたはオフし、１対の扉５ａの開閉状態に応じた信号を出力する。
【００１４】
製氷室２ｂは、冷蔵室２ａの下に設けられている。製氷室２ｂの前面には開口部４ｂが設けられている。冷蔵庫１は、開口部４ｂを開閉可能な引き出し式の扉５ｂを備える。冷蔵庫１は、扉５ｂの開閉状態を検知可能な扉スイッチ６ｂを備える。扉スイッチ６ｂは、扉５ｂの開閉状態に応じてオンまたはオフし、扉５ｂの開閉状態に応じた信号を出力する。
【００１５】
切替室２ｃは、冷蔵室２ａの下に設けられている。切替室２ｃは、製氷室２ｂと同じ高さに配置されている。切替室２ｃの前面には開口部４ｃが設けられている。冷蔵庫１は、開口部４ｃを開閉可能な引き出し式の扉５ｃを備える。冷蔵庫１は、扉５ｃの開閉状態を検知可能な扉スイッチ６ｃを備える。扉スイッチ６ｃは、扉５ｃの開閉状態に応じてオンまたはオフし、扉５ｃの開閉状態に応じた信号を出力する。
【００１６】
冷凍室２ｄは、製氷室２ｂおよび切替室２ｃの下に設けられている。冷凍室２ｄの前面には開口部４ｄが設けられている。冷蔵庫１は、開口部４ｄを開閉可能な引き出し式の扉５ｄを備える。冷蔵庫１は、扉５ｄの開閉状態を検知可能な扉スイッチ６ｄを備える。扉スイッチ６ｄは、扉５ｄの開閉状態に応じてオンまたはオフし、扉５ｄの開閉状態に応じた信号を出力する。
【００１７】
野菜室２ｅは、冷凍室２ｄの下に設けられている。野菜室２ｅの前面には開口部４ｅが設けられている。冷蔵庫１は、開口部４ｅを開閉可能な引き出し式の扉５ｅを備える。冷蔵庫１は、扉５ｅの開閉状態を検知可能な扉スイッチ６ｅを備える。扉スイッチ６ｅは、扉５ｅの開閉状態に応じてオンまたはオフし、扉５ｅの開閉状態に応じた信号を出力する。
【００１８】
なお、冷蔵室２ａは第１の収納室、１対の扉５ａは第１の扉、扉スイッチ６ａは第１の扉開閉検知手段である。野菜室２ｅは第２の収納室、扉５ｅは第２の扉、扉スイッチ６ｅは第２の扉開閉検知手段である。製氷室２ｂ、切替室２ｃおよび冷凍室２ｄは第３の収納室、扉５ｂから５ｄは第３の扉、扉スイッチ６ｂから６ｄは第３の扉開閉検知手段である。
【００１９】
また、以下では、扉５ａから５ｅを区別しないときには扉５ａから５ｅの各々を扉５で表す。また、開口部４ａから４ｅを区別しないときには開口部４ａから４ｅの各々を開口部４で表す。さらにまた、扉スイッチ６ａから６ｅを区別しないときには扉スイッチ６ａから６ｅの各々を扉スイッチ６で表す。
【００２０】
冷蔵庫１は、操作パネル７を備える。操作パネル７は、扉５ａに設けられている。操作パネル７は、冷蔵庫１の設定を受け付ける。
【００２１】
冷蔵庫１は、超音波センサ８，９を備える。ここで、超音波センサ８は扉５ａの外表面に設けられ、超音波センサ９は扉５ｅの外表面に設けられている。すなわち、超音波センサ８は、超音波センサ９よりも上に配置される。超音波センサ８は、超音波を生成し、超音波の送信波を送信し、超音波の送信波に対する反射波を受信する。超音波センサ８は、送信波の送信から受信波の受信までの時間に基づいて反射体までの距離を計測する。
【００２２】
超音波センサ８は、計測される距離に基づき、冷蔵庫１前の人の有無を判定することができる。超音波センサ９についても超音波センサ８と同様である。超音波センサ８，９は、それぞれ圧電セラミックを用いて構成することができる。超音波センサ８は第１の人感センサ、超音波センサ９は第２の人感センサである。
【００２３】
冷蔵庫１は、アラーム１０を備える。アラーム１０は、アラーム音を発生する。アラーム１０は、扉５が開放状態であることをアラーム音で報知する報知手段である。アラーム音には音声も含まれる。アラーム１０は、冷蔵庫１の上面の正面側に設けられている。アラーム１０は、扉５が閉め忘れ状態にあると判定されたときにのみアラーム音を発生する。
【００２４】
冷蔵庫１は、制御基板２５を備える。制御基板２５は、冷蔵庫１の上面の背面側に設けられている。
【００２５】
ここで、冷蔵庫１の内部構成について簡単に説明する。箱体３内には、風路１５が設けられている。風路１５は、冷蔵庫１の背面側に設けられている。風路１５は、冷凍室２ｄと冷蔵室２ａとを連通する。風路１５内には、冷気を生成する冷却器１６および冷気を循環させるファン１７が設けられている。冷蔵庫１は、冷蔵庫１の背面側に設けられた機械室１８内に圧縮機１９を備える。圧縮機１９および冷却器１６は冷凍サイクルの構成要素の一部である。冷凍サイクルの他の構成要素の図示は省略されている。
【００２６】
圧縮機１９が駆動されると、冷媒は冷凍サイクル内を循環する。冷却器１６では周囲の空気と冷媒とが熱交換し、空気が冷却されて冷気が生成される。この冷気は、ファン１７の回転により、風路１５内を通り、さらに冷蔵室２ａ、帰還路２０、製氷室２ｂ、切替室２ｃ、冷凍室２ｄおよび野菜室２ｅを通り、箱体３内を循環する。なお、収納室２に流入する冷気の量はダンパ２１により調整される。また、冷蔵庫１の冷却機能は、圧縮機１９の回転数およびファン１７の回転数を変化させることで調整される。
【００２７】
図３は、本実施の形態における制御ブロック図である。制御基板２５は、制御回路を備えた基板であり、マイクロコンピュータ２６およびクロック２７を備える。マイクロコンピュータ２６は、冷蔵庫１の制御を司る制御部である。クロック２７は、マイクロコンピュータ２６に時刻情報を出力する。
【００２８】
扉スイッチ６ａは、冷蔵室２ａの扉５ａの開閉状態を示す信号をマイクロコンピュータ２６に出力する。扉スイッチ６ｂは、製氷室２ｂの扉５ｂの開閉状態を示す信号をマイクロコンピュータ２６に出力する。扉スイッチ６ｃは、切替室２ｃの扉５ｃの開閉状態を示す信号をマイクロコンピュータ２６に出力する。扉スイッチ６ｄは、冷凍室２ｄの扉５ｄの開閉状態を示す信号をマイクロコンピュータ２６に出力する。扉スイッチ６ｅは、野菜室２ｅの扉５ｅの開閉状態を示す信号をマイクロコンピュータ２６に出力する。
【００２９】
超音波センサ８は、冷蔵庫１前の人の有無を示す信号をマイクロコンピュータ２６に出力する。超音波センサ９は、冷蔵庫１前の人の有無を示す信号をマイクロコンピュータ２６に出力する。
【００３０】
マイクロコンピュータ２６は、扉スイッチ６ａから６ｅの出力、超音波センサ８，９の出力およびクロック２７の出力に基づき、アラーム１０を制御する。すなわち、マイクロコンピュータ２６は、収納室２の扉５が閉め忘れの状態にあると判定した場合には、アラーム１０を鳴らし、その他の場合にはアラーム１０を鳴らさない。扉５が閉め忘れの状態にあるか否かの判定方法は後述する。
【００３１】
図４は、マイクロコンピュータ２６のハードウェア構成の一例を示す図である。マイクロコンピュータ２６は、プロセッサ２６ａおよびメモリ２６ｂを備える。プロセッサ２６ａはメモリ２６ｂに記憶されたプログラムを実行し、当該プログラムに記載された制御方法を実行する。プロセッサ２６ａは例えばＣＰＵであり、メモリ２６ｂは例えば半導体メモリである。
【００３２】
図５は、本実施の形態における制御フローチャートである。まず、Ｓ１では、マイクロコンピュータ２６は、扉スイッチ６の出力を検出する。
【００３３】
次に、Ｓ２では、マイクロコンピュータ２６は、扉スイッチ６の出力に基づき、収納室２の扉５が開状態であるか否かを判定する。この判定の結果、扉５が閉状態である場合には、マイクロコンピュータ２６はＳ１の処理に戻る。この判定の結果、扉５が開状態である場合には、マイクロコンピュータ２６は、Ｓ３の処理に進み、扉５が開状態である時間の計測を開始する。
【００３４】
次に、マイクロコンピュータ２６は、Ｓ４にて、扉スイッチ６の出力を検出した後、Ｓ５にて、扉スイッチ６の出力に基づき、収納室２の扉５が閉状態であるか否かを判定する。この判定の結果、扉５が閉状態である場合には、マイクロコンピュータ２６はＳ１の処理に戻る。この判定の結果、扉５が開状態である場合には、マイクロコンピュータ２６は、Ｓ６の処理に進む。
【００３５】
Ｓ６では、マイクロコンピュータ２６は、扉５の開状態がＴ秒以上継続したか否かを判定する。ここで、Ｔは予め決められた一定時間である。この判定の結果、扉５の開状態がＴ秒以上継続していない場合には、マイクロコンピュータ２６はＳ４の処理に戻る。この判定の結果、扉５の開状態がＴ秒以上継続している場合には、マイクロコンピュータ２６は、Ｓ７の処理に進む。
【００３６】
次に、Ｓ７では、マイクロコンピュータ２６は、扉５が冷蔵室２ａの扉５ａであるか否かを判定する。この判定の結果、扉５が扉５ａである場合には、マイクロコンピュータ２６は、Ｓ８にて、超音波センサ９の出力を検出し、Ｓ１０にて、超音波センサ９の出力を用いて、冷蔵庫１前の人の有無を判定する。この判定の結果、扉５が扉５ａでない場合、すなわち、扉５が扉５ｂから５ｅのいずれかである場合には、マイクロコンピュータ２６は、Ｓ９にて、超音波センサ８の出力を検出し、Ｓ１０にて、超音波センサ８の出力を用いて、冷蔵庫１前の人の有無を判定する。
【００３７】
Ｓ１０での判定の結果、冷蔵庫１前に人がいない場合には、マイクロコンピュータ２６は、扉５は閉め忘れ状態にあると判定し、アラーム１０に制御信号を出力し、Ｓ１１にて、アラーム１０を鳴らす。Ｓ１０での判定の結果、冷蔵庫１前に人がいる場合には、マイクロコンピュータ２６は、収納室２への収納品の収納中または収納室２からの収納品の取り出し中であると判定し、アラーム１０を鳴らすことなく、Ｓ１の処理に戻る。
【００３８】
マイクロコンピュータ２６は、扉スイッチ６ａから６ｅの出力を監視し、上記のような制御処理を扉５ａから５ｅに対して実施する。
【００３９】
本実施の形態によれば、収納室２への収納品の収納中又は収納室２からの収納品の取り出し中にはアラーム１０が鳴らず、扉５が閉め忘れられた状態にあるときにアラーム１０が鳴る。
【００４０】
すなわち、本実施の形態によれば、冷蔵庫１への収納品の収納中又は冷蔵庫１からの収納品の取り出し中にアラーム１０が鳴ることがなく、使用者は冷蔵庫１の使用中にアラーム音の煩わしさを感じることがない。さらに、本実施の形態によれば、扉５が開状態のままで人が冷蔵庫１から離れた後に一定時間を経過したときは、アラーム１０が鳴り、扉５が開状態にあることが使用者に報知されるため、扉５の閉め忘れを抑制することが可能となる。
【００４１】
本実施の形態では、冷蔵庫１の上部に配置された冷蔵室２ａの扉５ａが開いているときには、マイクロコンピュータ２６は、冷蔵庫１の下部に設けられた野菜室２ｅの扉５ｅに設けられた超音波センサ９を用いて冷蔵庫１前の人の有無を判定する。また、本実施の形態では、冷蔵室２ａよりも下に配置された製氷室２ｂの扉５ｂ、切替室２ｃの扉５ｃ、冷凍室２ｄの扉５ｄおよび野菜室２ｅの扉５ｅのうちの少なくも１つが開いているときには、マイクロコンピュータ２６は、冷蔵庫１の上部に設けられた冷蔵室２ａの扉５ａに設けられた超音波センサ８を用いて冷蔵庫１前の人の有無を判定する。このように、二つの超音波センサ８，９を設けることで、冷蔵庫１前の人の有無の検知の信頼性が高まる。
【００４２】
なお、複数の収納室２の配置、個数および種類は図示例に限定されない。収納室２の個数は２以上であればよい。
【００４３】
また、超音波センサ９は、野菜室２ｅの扉５ｅに設けられているが、製氷室２ｂの扉５ｂ、切替室２ｃの扉５ｃまたは冷凍室２ｄの扉５ｄに設ける構成も可能である。
【００４４】
また、冷蔵庫１前の人の有無を判定する人感センサは、超音波センサ８，９に限定されず、電磁波を利用したセンサ、例えば赤外線センサであってもよい。
【００４５】
本実施の形態では、アラーム音で扉５が開放状態であることを報知しているが、これに限定されず、アラーム表示で扉５が開放状態であることを報知してもよい。
【００４６】
また、１対の扉５ａは観音開き式であるとしたが、この開閉方式に限定されるものではなく、扉５ｂから５ｅは引き出し式としたが、この開閉方式に限定されるものではない。
【００４７】
実施の形態２．
図６は、本実施の形態に係る冷蔵庫の正面図、図７は、図６におけるＢ−Ｂ断面図である。なお、図６および図７では、図１および図２に示す構成要素と同一の構成要素には同一の符号を付している。
【００４８】
本実施の形態に係る冷蔵庫１ａは、次の点で実施の形態１の冷蔵庫１と異なる。すなわち、本実施の形態に係る冷蔵庫１ａは、実施の形態１の超音波センサ８，９を備える代わりに、野菜室２ｅ内に超音波センサ３０を備える。その他の点では、冷蔵庫１ａの構成は、冷蔵庫１の構成と同じである。
【００４９】
超音波センサ３０は、例えば野菜室２ｅ内の図示しない収納ケースの前面に設置される。超音波センサ３０は、超音波を生成し、超音波の送信波を送信し、超音波の送信波に対する反射波を受信する。超音波センサ３０は、送信波の送信から受信波の受信までの時間に基づいて反射体までの距離を計測する。
【００５０】
超音波センサ３０は、計測される距離に基づき、野菜室２ｅ内での収納品の移動の有無を判定することができる。すなわち、超音波センサ３０は、野菜室２ｅの扉５ｅが開けられ、収納品の収納中または取り出し中に野菜室２ｅ内で収納品が移動しているときには、収納品の移動を検知する。超音波センサ３０は、圧電セラミックを用いて構成することができる。超音波センサ３０は、野菜室２ｅ内での収納品の移動を検知する移動検知センサである。
【００５１】
図８は、本実施の形態における制御ブロック図である。扉スイッチ６ｅは、野菜室２ｅの扉５ｅの開閉状態を示す信号をマイクロコンピュータ２６に出力する。超音波センサ３０は、野菜室２ｅ内での収納品の移動の有無を示す信号をマイクロコンピュータ２６に出力する。
【００５２】
マイクロコンピュータ２６は、扉スイッチ６ｅの出力、超音波センサ３０の出力およびクロック２７の出力に基づき、アラーム１０を制御する。すなわち、マイクロコンピュータ２６は、野菜室２ｅの扉５ｅが閉め忘れの状態にあると判定した場合には、アラーム１０を鳴らし、その他の場合にはアラーム１０を鳴らさない。
【００５３】
図９は、本実施の形態における制御フローチャートである。まず、Ｓ２１では、マイクロコンピュータ２６は、扉スイッチ６ｅの出力を検出する。
【００５４】
次に、Ｓ２２では、マイクロコンピュータ２６は、扉スイッチ６ｅの出力に基づき、野菜室２ｅの扉５ｅが開状態であるか否かを判定する。この判定の結果、扉５ｅが閉状態である場合には、マイクロコンピュータ２６はＳ２１の処理に戻る。この判定の結果、扉５ｅが開状態である場合には、マイクロコンピュータ２６は、Ｓ２３の処理に進む。
【００５５】
Ｓ２３では、マイクロコンピュータ２６は、超音波センサ３０の出力を検出し、超音波センサ３０の出力を用いて、野菜室２ｅ内での収納品の移動の有無を判定する。この判定の結果、野菜室２ｅ内で収納品が移動中である場合は、マイクロコンピュータ２６は、Ｓ２１の処理に戻る。この判定の結果、野菜室２ｅ内で収納品が移動中でない場合は、マイクロコンピュータ２６は、Ｓ２４の処理に進み、扉５ｅが開状態である時間の計測を開始する。
【００５６】
次に、マイクロコンピュータ２６は、Ｓ２５にて、扉スイッチ６ｅの出力を検出し、Ｓ２６にて、扉スイッチ６ｅの出力に基づき、野菜室２ｅの扉５ｅが閉状態であるか否かを判定する。この判定の結果、扉５ｅが閉状態である場合は、マイクロコンピュータ２６は、Ｓ２１の処理に戻る。この判定の結果、扉５ｅが開状態である場合は、マイクロコンピュータ２６は、Ｓ２７にて、扉５ｅの開状態がＴ秒以上継続したか否かを判定する。ここで、Ｔは予め決められた一定時間である。
【００５７】
Ｓ２７での判定の結果、扉５ｅの開状態がＴ秒以上継続していない場合には、マイクロコンピュータ２６はＳ２５の処理に戻る。Ｓ２７での判定の結果、扉５ｅの開状態がＴ秒以上継続している場合には、マイクロコンピュータ２６は、扉５ｅは閉め忘れ状態にあると判定し、Ｓ２８にて、アラーム１０に制御信号を出力し、アラーム１０を鳴らす。
【００５８】
以上に説明したように、本実施の形態によれば、超音波センサ３０により野菜室２ｅ内での収納品の移動を検知するようにしたので、使用者による冷蔵庫１への収納品の収納中または冷蔵庫１からの収納品の取り出し中にアラーム１０が鳴ってしまうことを抑制することができる。
【００５９】
本実施の形態では、超音波センサ３０は野菜室２ｅ内に設けられ、野菜室２ｅの扉５ｅが閉め忘れられたときにアラーム１０が鳴るようにしているが、これに限定されない。すなわち、冷蔵室２ａ、製氷室２ｂ、切替室２ｃ、冷凍室２ｄおよび野菜室２ｅのうち少なくも１つの収納室２内に超音波センサ３０が設けられ、超音波センサ３０を備えた収納室２の扉５が閉め忘れられたときにアラーム１０が鳴るようにしてもよい。
【００６０】
なお、野菜室２ｅは、一般に仕切りを有さず、簡素な室内構造を有する。そのため、野菜室２ｅ内での収納品の移動の検知は１つの超音波センサ３０により可能である。これは、製氷室２ｂ、切替室２ｃおよび冷凍室２ｄについても同様である。
【００６１】
また、本実施の形態では、移動検知センサとして超音波センサ３０を用いる場合について説明したが、これに限定されず、移動検知センサは電磁波を利用したセンサ、例えば赤外線センサであってもよい。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１，１ａ  冷蔵庫、２  収納室、２ａ  冷蔵室、２ｂ  製氷室、２ｃ  切替室、２ｄ  冷凍室、２ｅ  野菜室、３  箱体、４，４ａ〜４ｅ  開口部、５，５ａ〜５ｅ  扉、６，６ａ〜６ｅ  扉スイッチ、７  操作パネル、８，９，３０  超音波センサ、１０  アラーム、１５  風路、１６  冷却器、１７  ファン、１８  機械室、１９  圧縮機、２０  帰還路、２１  ダンパ、２５  制御基板、２６  マイクロコンピュータ、２６ａ  プロセッサ、２６ｂ  メモリ、２７  クロック。
【図１】
2017145387.tif 000003
【図２】
2017145387.tif 000004
【図３】
2017145387.tif 000005
【図４】
2017145387.tif 000006
【図５】
2017145387.tif 000007
【図６】
2017145387.tif 000008
【図７】
2017145387.tif 000009
【図８】
2017145387.tif 000010
【図９】
2017145387.tif 000011
【国際調査報告】
2017145387.tif 000012
2017145387.tif 000013
2017145387.tif 000014
2017145387.tif 000015